(57)【特許請求の範囲】
【請求項１】
データ消去対象物であるライト・ワンスメディアを格納するメディア格納部と、このメディア格納部にて前記メディアのデータ領域等に他のデータを上書きするデータ上書き手段とを備え、このデータ上書き手段の動作を駆動制御する主制御部とを備えた光ディスク用データ消去装置において、
前記主制御部に、前記ライト・ワンスメディアに必要とされるセキュリティレベルに応じて当該メディアに対する前記上書きデータの書き込み予定領域を規制する複数種類の消去動作モードおよび前記消去動作モードに対応する上書きパターン情報を予め格納した消去動作モード用データベースを併設すると共に、
前記主制御部が、前記ライト・ワンスメディアに対する上書き動作に際しては前記消去動作モード用データベースから複数のデータ消去動作モードの内の何れか一つを特定する動作モード特定機能と、この特定した消去動作モードおよびこの消去動作モードに対応する前記上書きパターン情報に従って前記メディアに対する前記データ上書き手段による上書き動作を制御する上書動作制御機能とを備え、
前記上書動作制御機能は、
前記消去動作モードが前記ライト・ワンスメディアの管理領域を対象とした上書きモードである場合に、前記管理領域の全面を上書きさせるよう前記データ上書き手段を制御し、
前記消去動作モードが前記ライト・ワンスメディアの管理領域および一部データ領域を対象とした上書きモードである場合に、前記管理領域の全面を上書きした後に前記データ領域内の使用領域上のランダムに選択された領域を上書きしてさらにその後に前記データ領域内の未使用領域上のランダムに選択された領域を互いに異なる前記上書きパターンで二重に上書きさせるよう前記データ上書き手段を制御し、
前記消去動作モードが前記ライト・ワンスメディアの管理領域および全データ領域を対象とした上書きモードである場合に、前記管理領域および前記データ領域内の使用領域の全面を上書きした後に前記データ領域内の未使用領域上の全面を互いに異なる前記上書きパターンで二重に上書きさせるよう前記データ上書き手段を制御することを特徴とした光ディスク用データ消去装置。
【請求項２】
前記請求項１に記載の光ディスク用データ消去装置において、
前記ライト・ワンスメディアに対する上書き動作に先立って当該メディアの種別や管理領域およびメモリ使用領域等の情報を（一時的に）格納するメディア情報格納手段を設けると共に、この記憶された情報を外部表示する状態表示部を設けたことを特徴とする光ディスク用データ消去装置。
【請求項３】
前記請求項２に記載の光ディスク用データ消去装置において、
前記メディア格納部，データ上書き手段，主制御部，および消去動作モード用データベースをデータ消去装置本体のドライブ部側に配設すると共に、前記メディア情報格納手段および状態表示部をデータ消去装置本体の動作モード選択部側に配設し、
前記動作モード選択部が、前記メディア情報格納手段および状態表示部の動作を制御する副制御部を備えると共に、
この副制御部に、動作モード用データベースに記憶された動作モードにかかる情報を表示する動作モード表示部を併設すると共に、
前記副制御部が、前記動作モード表示部で表示された消去動作モード情報の内の特定の消去動作モードが外部指定された場合に当該指定された消去動作モードにかかる情報を選択された消去動作モードとして前記ドライブ部側の主制御部へ送信する選択モード送信機能を備えていることを特徴とした光ディスク用データ消去装置。
【請求項４】
データ消去対象物であるライト・ワンスメディアに他のデータを上書きして元のデータを読み取り不可能状態に設定する光ディスク用データ消去方法において、
前記ライト・ワンスメディアに必要とされるセキュリティレベルに応じて当該メディアに対する前記上書きデータの書き込み予定領域をそれぞれ一部異なった領域とする複数の消去動作モードおよびこの消去動作モードに対応する上書きパターンを予め設定する消去動作モード複数設定工程と、
前記ライト・ワンスメディアに対する上書き動作に先立って当該ライト・ワンスメディアの種別や管理領域およびメモリ使用領域等の情報を格納するメディア情報格納工程と、
前記ライト・ワンスメディアに対する上書き動作に際しては予め設定した前記複数のデータ消去用の動作モードの内の何れか一つを選択する消去動作モード選択工程とを備え、
この選択された一つの消去動作モードおよびこの消去動作モードに対応する前記上書きパターンに従って前記ライト・ワンスメディアに対する上書き動作を実行する上書動作実行工程とを設け、
前記上書動作実行工程は、
前記消去動作モードが前記ライト・ワンスメディアの管理領域を対象とした上書きモードである場合に、前記管理領域の全面を上書きさせるよう前記上書き動作を実行し、
前記消去動作モードが前記ライト・ワンスメディアの管理領域および一部データ領域を対象とした上書きモードである場合に、前記管理領域の全面を上書きした後に前記データ領域内の使用領域上のランダムに選択された領域を上書きしてさらにその後に前記データ領域内の未使用領域上のランダムに選択された領域を互いに異なる前記上書きパターンで二重に上書きさせるよう前記上書き動作を実行し、
前記消去動作モードが前記ライト・ワンスメディアの管理領域および全データ領域を対象とした上書きモードである場合に、前記管理領域および前記データ領域内の使用領域の全面を上書きした後に前記データ領域内の未使用領域上の全面を互いに異なる前記上書きパターンで二重に上書きさせるよう前記上書き動作を実行することを特徴とした光ディスク用データ消去方法。
【請求項５】
前記請求項４に記載の光ディスク用データ消去方法において、
前記メディア情報格納工程の実行に先立って、前記メディアがデータ消去対象物か否かを判定する消去対象物判定工程と、データ消去対象物でないと判定された場合に当該メディアをデータ消去対象物から除外する非対象物除外工程とを設けたことを特徴とする光ディスク用データ消去方法。
【請求項６】
データ消去対象物であるライト・ワンスメディアに他のデータを上書きして元のデータを読み取り不可能状態に設定する光ディスク用データ消去プログラムにおいて、
前記ライト・ワンスメディアに必要とされるセキュリティレベルに応じて当該メディアに対する前記上書きデータの書き込み予定領域を異なった領域とする複数の消去動作モードが形成された場合にこれとこの消去動作モードに対応する上書きパターンを所定の記憶手段に格納する消去動作モード格納機能、
前記ライト・ワンスメディアに対する上書き動作に先立って当該ライト・ワンスメディアの種別や管理領域およびメモリ使用領域等の情報を取得すると共に所定の記憶手段に格納するメディア情報格納機能、
前記ライト・ワンスメディアに対する上書き動作に際しては予め設定した前記複数のデータ消去用の動作モードの内の何れか一つを選択する消去動作モード選択機能、
および、この選択された一つの消去動作モードおよびこの消去動作モードに対応する前記上書きパターンに従って、前記消去動作モードが前記ライト・ワンスメディアの管理領域を対象とした上書きモードである場合に、前記管理領域の全面を上書きさせるよう前記ライト・ワンスメディアに対する上書き動作を実行し、前記消去動作モードが前記ライト・ワンスメディアの管理領域および一部データ領域を対象とした上書きモードである場合に、前記管理領域の全面を上書きした後に前記データ領域内の使用領域上のランダムに選択された領域を上書きしてさらにその後に前記データ領域内の未使用領域上のランダムに選択された領域を互いに異なる前記上書きパターンで二重に上書きさせるよう前記ライト・ワンスメディアに対する上書き動作を実行し、前記消去動作モードが前記ライト・ワンスメディアの管理領域および全データ領域を対象とした上書きモードである場合に、前記管理領域および前記データ領域内の使用領域の全面を上書きした後に前記データ領域内の未使用領域上の全面を互いに異なる前記上書きパターンで二重に上書きさせるよう前記ライト・ワンスメディアに対する上書き動作を実行する上書動作実行機能、
をコンピュータに実現させるようにしたことを特徴とする光ディスク用データ消去プログラム。
【請求項７】
前記請求項６に記載の光ディスク用データ消去プログラムにおいて、
前記メディアがデータ消去対象物か否かを判定する消去対象物判定機能、および前記メディアがデータ消去対象物でないと判定された場合に当該メディアをデータ消去対象物から除外する非対象物除外機能、とを前記コンピュータに実現させるようにしたことを特徴とする光ディスク用データ消去プログラム。
【発明の詳細な説明】
【技術分野】
【０００１】
本発明は、光ディスク用データ消去装置等に係り、特に、ライト・ワンス（Ｗrite Ｏnce ）メディアであるＣＤ−ＲやＤＶＤ±Ｒ（ＤＬ含む）等に記録されたデータを、上書きの手法に基づいて実質的にデータを消去する光ディスク用データ消去装置，データ消去方法，および、データ消去プログラムに関する。
【背景技術】
【０００２】
従来より、ＣＤ−ＲやＤＶＤ±Ｒ（ＤＬ含む），次世代のＢＤ−ＲやＨＤ  ＤＶＤ−Ｒ等のライト・ワンスメディア（Ｗrite Ｏnce Ｍedia）のデータ消去に際しては、メディアの記録層をカッター等で傷を付すか、又はシュレッダー等によってメディアそのものを裁断する等によって、その処理が成されていた。
又、ドライブ側の設定変更並びにホストコンピュータからのコマンド発行によって書き込み領域への上書きを実行し、これによって再生不能とする方法のものが知られている。具体的には、レーザ記録装置を利用する手法のもの、即ち、ライト・ワンスメディアに対して記録用のレーザ光を照射して上書きし、これによって当該メディアに記録されているデータを実質的に消去する手法のものが知られている（特許文献１，特許文献２）。
【０００３】
この内、特許文献１である特開２００２−３０４７３６に記載のものは、データが記録された領域およびデータが記録されていない未記録領域の全体に、記録用のレーザ光を照射し、これによって、記録されているデータについては再生不能とすると共に、データの未記録領域ではデータの記録を不能とするという技術が開示されている。
又、特許文献２である特開２００４−１８５６５６に記載のものは、予め記録されたデータに対してメディア上で未記録領域を含む破壊領域を特定し、この特定した破壊領域を破壊用のレーザ光を照射し、これによってユーザの重要度に応じた上方の破壊処理を実行するようにしたものである。
【特許文献１】特開２００２−３０４７３６
【特許文献２】特開２００４−１８５６５６
【発明の開示】
【発明が解決しようとする課題】
【０００４】
しかしながら、上記各従来例にあって、メディア上の記録層に対し傷を付す手法やシュレッダー等によってメディアそのものを裁断する等のものにあっては、当該記録層で使われている金属片や記録層の色素（含む有害物質）が飛散し、環境や人体に影響を与える可能性があるという環境衛生上の問題が生じていた。又、傷つけや裁断が中途半端の場合は記録層をつなぎ合わせることによってデータ部を読みとることが出来るというセキュリティ上の問題もあり、これを回避するための細分化の遮断等にはその設備の構築に多くの費用を要するという不都合があった。
【０００５】
又、上述したドライブ側の設定変更並びにホストコンピュータからのコマンド発行による書き込み領域への上書き等の方法にあっては、データを完全に消去出来ないか又は書き込み領域情報が分かるため、データの一部を復旧できる可能性があるという、セキュリティ上の問題点があった。
【０００６】
更に、上述した特許文献１（特開２００２−３０４７３６）に記載のもの、および特許文献２（特開２００４−１８５６５６）に記載のものは、いずれもデータが記録されたメディアの再利用を完全に禁止することを意図したものであることから、処理に時間がかかり、大量のメディアの処理には不適確なものとなっている。
又、この場合、特許文献２（特開２００４−１８５６５６）に記載のものには、処理時間の短縮を意図して、上書き処理に際しては処理中に当該メディアの回転速度を高く設定する手法が開示されている。
【０００７】
しかしながら、記録用のレーザ光の強度を同一のまま回転速度を高くすると、上書き処理の性能が低下し、既存の記録データが低レベルで残存するという不都合が生じる。
又、かかる不都合を回避するためには、レーザ光の出力強度を高め必要性が生じ、それには更なる設備投資が必要となり、これがため、単に処理中に当該メディアの回転速度を高く設定するだけでは信頼性が低下する等、初期の目的を達成できないという不都合が生じる。
【０００８】
本発明は、かかる従来例の有する不都合を改善し、特に、不要となったライト・ワンスメディア上のデータの消去をメディア毎に迅速に且つ効率良く実行することを可能とした光ディスク用データ消去装置、データ消去方法、およびデータ消去プログラムを提供することを、その目的とする。
【課題を解決するための手段】
【０００９】
本発明にかかる光ディスク用データ消去装置は、データ消去対象物であるライト・ワンスメディアを格納するメディア格納部と、このメディア格納部にてメディアのデータ領域等に他のデータを上書きするデータ上書き手段とを備え、このデータ上書き手段の動作を駆動制御する主制御部とを備えた光ディスク用データ消去装置において、主制御部に、ライト・ワンスメディアに必要とされるセキュリティレベルに応じて当該メディアに対する上書きデータの書き込み予定領域を規制する複数種類の消去動作モードおよび消去動作モードに対応する上書きパターン情報を予め格納した消去動作モード用データベースを併設すると共に、主制御部が、ライト・ワンスメディアに対する上書き動作に際しては消去動作モード用データベースから複数のデータ消去動作モードの内の何れか一つを特定する動作モード特定機能と、この特定した消去動作モードおよびこの消去動作モードに対応する上書きパターン情報に従ってメディアに対するデータ上書き手段による上書き動作を制御する上書動作制御機能とを備え、上書動作制御機能は、消去動作モードがライト・ワンスメディアの管理領域を対象とした上書きモードである場合に、管理領域の全面を上書きさせるようデータ上書き手段を制御し、消去動作モードがライト・ワンスメディアの管理領域および一部データ領域を対象とした上書きモードである場合に、管理領域の全面を上書きした後にデータ領域内の使用領域上のランダムに選択された領域を上書きしてさらにその後にデータ領域内の未使用領域上のランダムに選択された領域を互いに異なる上書きパターンで二重に上書きさせるようデータ上書き手段を制御し、消去動作モードがライト・ワンスメディアの管理領域および全データ領域を対象とした上書きモードである場合に、管理領域およびデータ領域内の使用領域の全面を上書きした後にデータ領域内の未使用領域上の全面を互いに異なる上書きパターンで二重に上書きさせるようデータ上書き手段を制御することを特徴とする（請求項１）。
【００１０】
このため、これによると、不要となったライト・ワンスメディアのデータ消去を予め準備した複数種類の消去動作モードの何れか一つの消去動作モードに従って上書き処理するようにしたので、メディアに対応した処理，即ち各メディアのセキュリティレベルに合った上書き処理をメディア毎に効率良く実行することを可能となり、これがため、複数のメディアに対しても当該処理動作を確実に且つ効率良くなし得るという利点がある。さらに、これによると、ライト・ワンスメディアに対して共通に消去を希望する領域を予め特定することができ、作業能率および管理を明確化することができ、データ消去作業の能率向上が可能となる。
【００１１】
又、前述したライト・ワンスメディアに対する上書き動作に先立って当該メディアの種別や管理領域およびメモリ使用領域等の情報を格納するメディア情報格納手段を設けると共に、この記憶された情報を外部表示する状態表示部を設けた構成としてもよい（請求項２）。
このようにする、メディアに対応した上書き処理をより有効に実行するこができる。
【００１４】
又、前述したメディア格納部，データ上書き手段，主制御部，および消去動作モード用データベースを、データ消去装置本体のドライブ部側に配設すると共に、前記メディア情報格納手段および状態表示部をデータ消去装置本体の動作モード選択部側に配設し、前記動作モード選択部が、前記メディア情報格納手段および状態表示部の動作を制御する副制御部を備えた構成とし、この副制御部に、動作モード用データベースに記憶された動作モードにかかる情報を表示する動作モード表示部を併設してよい。
【００１５】
更に、この副制御部が、前述した動作モード表示部で表示された消去動作モード情報の内の特定の消去動作モードが外部指定された場合に、当該指定された消去動作モードにかかる情報を選択された消去動作モードとして前記ドライブ部側の主制御部へ送信する選択モード送信機能を備えているように構成してもよい（請求項３）。
このため、これによると、データ消去領域の確認とデータ消去メディアの確認を常時実行することが可能となり、かかる点において必要箇所に限定した消去作業も可能となり、同時にかかる上位タイムチャートの事前確認ができるので、作業がやりやすい（作業能率向上）と装置全体の信頼性向上を図ることがきる。
【００１６】
上記目的を達成するために、本発明にかかる光ディスク用データ消去方法では、データ消去対象物であるライト・ワンスメディアに他のデータを上書きして元のデータを読み取り不可能状態に設定する光ディスク用データ消去方法において、ライト・ワンスメディアに必要とされるセキュリティレベルに応じて当該メディアに対する上書きデータの書き込み予定領域をそれぞれ一部異なった領域とする複数の消去動作モードおよびこの消去動作モードに対応する上書きパターンを予め設定する消去動作モード複数設定工程と、ライト・ワンスメディアに対する上書き動作に先立って当該ライト・ワンスメディアの種別や管理領域およびメモリ使用領域等の情報を格納するメディア情報格納工程と、ライト・ワンスメディアに対する上書き動作に際しては予め設定した複数のデータ消去用の動作モードの内の何れか一つを選択する消去動作モード選択工程とを備え、この選択された一つの消去動作モードおよびこの消去動作モードに対応する上書きパターンに従ってライト・ワンスメディアに対する上書き動作を実行する上書動作実行工程とを設け、上書動作実行工程は、消去動作モードがライト・ワンスメディアの管理領域を対象とした上書きモードである場合に、管理領域の全面を上書きさせるよう上書き動作を実行し、消去動作モードがライト・ワンスメディアの管理領域および一部データ領域を対象とした上書きモードである場合に、管理領域の全面を上書きした後にデータ領域内の使用領域上のランダムに選択された領域を上書きしてさらにその後にデータ領域内の未使用領域上のランダムに選択された領域を互いに異なる上書きパターンで二重に上書きさせるよう上書き動作を実行し、消去動作モードがライト・ワンスメディアの管理領域および全データ領域を対象とした上書きモードである場合に、管理領域およびデータ領域内の使用領域の全面を上書きした後にデータ領域内の未使用領域上の全面を互いに異なる上書きパターンで二重に上書きさせるよう上書き動作を実行することを特徴とする（請求項４）。
【００１７】
このため、これによると、不要となったライト・ワンスメディアに対するデータ消去を複数種類の消去動作モードから選択して上書き処理するようにしたので、メディアに対応した処理をメディア毎に効率良く実行することができ、これがため、複数のメディアに対しても当該処理動作を確実に且つ効率良くなし得るという利点がある。さらに、これによると、ライト・ワンスメディアに対して共通に消去を希望する領域を予め特定することができ、作業能率および管理を明確化することができ、データ消去作業の能率向上が可能となる。
【００１８】
ここで、前述したメディア情報格納工程の実行に先立って、前記メディアがデータ消去対象物か否かを判定する消去対象物判定工程と、データ消去対象物でないと判定された場合に当該メディアをデータ消去対象物から除外する非対象物除外工程とを設けてもよい（請求項５）。
【００１９】
上記目的を達成するために、本発明にかかる光ディスク用データ消去プログラムでは、データ消去対象物であるライト・ワンスメディアに他のデータを上書きして元のデータを読み取り不可能状態に設定する光ディスク用データ消去プログラムにおいて、ライト・ワンスメディアに必要とされるセキュリティレベルに応じて当該メディアに対する上書きデータの書き込み予定領域を異なった領域とする複数の消去動作モードが形成された場合にこれとこの消去動作モードに対応する上書きパターンを所定の記憶手段に格納する消去動作モード格納機能、ライト・ワンスメディアに対する上書き動作に先立って当該ライト・ワンスメディアの種別や管理領域およびメモリ使用領域等の情報を取得すると共に所定の記憶手段に格納するメディア情報格納機能、ライト・ワンスメディアに対する上書き動作に際しては予め設定した複数のデータ消去用の動作モードの内の何れか一つを選択する消去動作モード選択機能、および、この選択された一つの消去動作モードおよびこの消去動作モードに対応する上書きパターンに従って、消去動作モードがライト・ワンスメディアの管理領域を対象とした上書きモードである場合に、管理領域の全面を上書きさせるようライト・ワンスメディアに対する上書き動作を実行し、消去動作モードがライト・ワンスメディアの管理領域および一部データ領域を対象とした上書きモードである場合に、管理領域の全面を上書きした後にデータ領域内の使用領域上のランダムに選択された領域を上書きしてさらにその後にデータ領域内の未使用領域上のランダムに選択された領域を互いに異なる上書きパターンで二重に上書きさせるようライト・ワンスメディアに対する上書き動作を実行し、消去動作モードがライト・ワンスメディアの管理領域および全データ領域を対象とした上書きモードである場合に、管理領域およびデータ領域内の使用領域の全面を上書きした後にデータ領域内の未使用領域上の全面を互いに異なる上書きパターンで二重に上書きさせるようライト・ワンスメディアに対する上書き動作を実行する上書動作実行機能、をコンピュータに実現させるようにしたことを特徴とする（請求項６）。
このため、これによると、当該ライト・ワンスメディアに対する他のデータの上書き処理を迅速に且つ容易に実行することができる。
【００２０】
又、前述したライト・ワンスメディアがデータ消去対象物か否かを判定する消去対象物判定機能、および前記メディアがデータ消去対象物でないと判定された場合に当該メディアをデータ消去対象物から除外する非対象物除外機能、とを前記コンピュータに実現させるように構成してもよい（請求項７）。
【発明の効果】
【００２１】
本発明は上述したように構成され機能するので、これによると、不要となったライト・ワンスメディアのデータ消去を予め準備した複数の消去動作モードの何れか一つに従って上書き処理するようにしたので、メディアに対応した処理，即ち各メディアのセキュリティレベルに合った上書き処理をメディア毎に効率良く実行することを可能となり、これがため、複数のメディアに対しても当該処理動作を確実に且つ迅速に成し得るという従来にない優れた光ディスク用データ消去装置、データ消去方法、およびデータ消去プログラムを提供することができる。
【発明を実施するための最良の形態】
【００２２】
まず、本発明は、ＣＤ−ＲやＤＶＤ±Ｒ（ＤＬ含む），次世代のＢＤ−ＲやＨＤ  ＤＶＤ−Ｒ等のライト・ワンスメディアのデータ消去に関するものであり、管理領域並びにデータ格納領域へデータを上書きして、メディアの認識不可状態やデータを読みとり不可状態等を発生させる事により、データの消去を行う事を特徴とする。
以下、かかる特徴点を備えた本発明にかかる光ディスク用データ消去装置１０の一実施形態を、図１乃至図６に基づいて説明する。
【００２３】
ここで、最初に本実施形態における重要部分についてその構成を説明し、その後に本実施形態の具体的内容を詳述する。
まず、本実施形態における光ディスク用データ消去装置１０は、データ消去対象物であるライト・ワンスメディアを格納するメディア格納部１１０と、このメディア格納部１１０にて前記メディアのデータ領域等に他のデータを上書きするデータ上書き手段２０とを備えている。このデータ上書き手段２０の動作を駆動制御する主制御部としてのＣＰＵ（中央演算制御装置）１０２とを備えている。
【００２４】
このＣＰＵ（主制御部）１０２には、前述したメディアに対する上書きデータの書き込み予定領域を規制する複数種類の消去動作モードを予め格納した消去動作モード用データベース（以下「動作モードＤＢ」という）１１２が併設されている。
そして、このＣＰＵ１０２が、前述したメディアに対する上書き動作に際しては前記動作モードＤＢ１１２から複数のデータ消去動作モードの内の何れか一つを特定する動作モード特定機能と、この特定した消去動作モードに従って前記メディアに対する上書き動作を実行する上書動作実行制御機能とを備えている。
【００２５】
このため、これによると、不要となったライト・ワンスメディアのデータ消去を予め準備した複数種類の消去動作モードの何れか一つの消去動作モードに従って上書き処理するようにしたので、メディアに対応した処理，即ち各メディアのセキュリティレベルに合った上書き処理をメディア毎に効率良く実行することを可能となり、これがため、複数のメディアに対しても当該処理動作を確実に且つ効率良くなし得るという利点がある。
【００２６】
又、前述したライト・ワンスメディアに対する上書き動作に先立って当該メディアの種別や管理領域およびメモリ使用領域等の情報を一時的に格納するメディア情報格納手段としてのメモリ部１１８を設けると共に、この記憶された情報を外部表示する状態表示部１１６が設けられている。符号１１７は、上記メモリ部（メディア情報格納手段）１１８および状態表示部１１６の動作を制御する副制御部としてのＣＰＵを示す。
【００２７】
ここで、上書きデータの書き込み予定領域を規制する前述した複数種類の消去動作モードは、少なくとも前記ライト・ワンスメディアの管理領域を対象とした上書きモードとしても、又、少なくとも前記ライト・ワンスメディアの管理領域および一部データ領域を対象とした上書きモードとしてもよい。更に、この上書きデータの書き込み予定領域を規制する前述した複数種類の消去動作モードは、少なくとも前記ライト・ワンスメディアの管理領域および全データ領域を対象とした上書きモード、としてもよい。
【００２８】
このため、これによると、ライト・ワンスメディアに対して共通に消去を希望する領域を、或いは個別に異なった箇所のデータ消去を必要とするメディアに対しても、それぞれ当該各メディアに合ったデータ消去内容を予め特定することができ、かかる点において作業能率およびデータ消去作業の管理を明確化することができ、データ消去作業の能率向上が可能となる。
【００２９】
又、前述したメディア格納部１１０，データ上書き手段２０，主制御部としてのＣＰＵ１０２，および動作モードＤＢ（消去動作モード用データベース）１１２は、データ消去装置本体１０Ａのドライブ部１０Ｃ側に配設されている。又、前述したメモリ部（メディア情報格納手段）１１８および状態表示部１１６は、データ消去装置本体１０Ａの動作モード選択部１０Ｄ側に配設されている。そして、この動作モード選択部１０Ｄが、前記メモリ部（メディア情報格納手段）１１８および状態表示部１１６の動作を制御する副制御部としてのＣＰＵ１１７を備えており、このＣＰＵ（副制御部）１１７に、前述した動作モードＤＢ１１２に記憶された動作モードにかかる情報を表示する動作モード表示部１１５が併設されている。
【００３０】
更に、このＣＰＵ（副制御部）１１７は、前述した動作モード表示部１１５で表示された消去動作モード情報の内の特定の消去動作モードが外部指定された場合に、当該指定された消去動作モードにかかる情報を、当該動作モード選択部１０Ｄで選択された消去動作モードとして、前記ドライブ部１０ＣのＣＰＵ（主制御部）１０２へ送信する選択モード送信機能を備えている。
このため、ＣＰＵ（主制御部）１１２による消去動作の実行中であっても、次の選択モード当業者の検討を進めることができ、作業性向上を期待することができる。
【００３１】
以下、これを更に詳述する。
図１において、ライト・ワンスメディアのデータ消去装置１０は、ドライブ部１０Ｃと、このドライブ部１０Ｃの動作モードを選択設定する動作モード選択部１０Ｄと、これら各部の動作を指令し且つ必要な情報を入力する入力部１００とを備えている。
【００３２】
前記ドライブ部１０Ｃは、前述したように、メディア格納部１１０と、データ上書き手段２０と、このデータ上書き手段２０の動作を駆動制御する主制御部としてのＣＰＵ（中央演算処理装置）１０２とを備えている。
【００３３】
更に、このドライブ部１０Ｃは、前述したメディア格納部１１０を駆動するモータ部１０８と、このモータ部１０８の回転動作を制御する回転制御部１０９と、前述したデータ上書き手段２０全体の移動動作を付勢する光ピックアップ駆動機構１０７と、各種制御パラメータを格納したメモリ部１０３と、これら各部の動作を制御するＣＰＵ（主制御部）１０２とを備えている。そして、このＣＰＵ（主制御部）１０２には、前述したメディアに対する上書きデータの書き込み予定領域を規制する複数種類の消去動作モードを予め格納した消去動作モード用データベース（以下「動作モードＤＢ」という）１１２が併設されている。
【００３４】
前述したデータ上書き手段２０は、前述したメディア格納部１１０に格納されたメディア上に上書き用のフォーカスが絞られたレーザ光を照射する光学系１０１と、この光学系１０１にレーザ光を送り込むレーザ光発光部１０４と、このレーザ光発光部１０４の動作を制御するレーザ制御部１０５と、前記光学系１０１のフォーカス位置を調整するフォーカス・トラッキング制御部１０６とを備え、これによってメディア上への上書き処理が実行されるようになっている。
【００３５】
又、前述した動作モード選択部１０Ｄは、前述した動作モードＤＢ１１２内に記憶されている各種動作モードの内容を表示する動作モード表示部１１５と、前述したメディアの状態や各動作モードの動作結果を表示する状態表示部１１６と、前記メディア格納部１１０に格納されるメディアの種別，管理領域，および使用領域の各情報を格納するためのメモリ部１１８と、これら各部の動作を前述したＣＰＵ（主制御部）１０２と連携して制御するＣＰＵ（副制御部）１１７とを備えている。
【００３６】
更に、前述した入力部１００は、前述したドライブ部１０Ｃおよび動作モード選択部１０Ｄの各構成要素に対して必要な動作指令若しくは必要なデータ等をオペレータによる入力操作等によって外部入力する機能を備えている。
この入力部１００は、前述したドライブ部１０Ｃをメディア排出モードに設定するメディア排出スイッチ１１１と、前記動作モード選択部１０Ｄにて動作モードを選択設定する動作モードを選択スイッチ１１４と、装置全体を起動させるスタートスイッチ１１３とを備え、これらの各スイッチからの指令に従って対応する各ＣＰＵ１０２，１１７が作動して当該指令内容を実行するようになっている。
【００３７】
次に、上述したドライブ部１０Ｃ、動作モード選択部１０Ｄ、および入力部１００の各構成部分について説明する。
【００３８】
〔ドライブ部１０Ｃの構成〕
まず、前述したドライブ部１０Ｃの主要部を成すＣＰＵ（主制御部）１０２は、マイクロプロセッサ等で構成されている中央処理装置である。このＣＰＵ（主制御部）１０２は、格納されたメディアに対する上書き動作に際しては、前述したＣＰＵ１１７からの選択指令に従って作動し前記動作モードＤＢ１１２から複数のデータ消去動作モードの内の何れか一つを特定する動作モード特定機能と、この特定した消去動作モードに従って前記メディアに対する上書き動作を制御する上書動作制御機能とを備えている。更に、このＣＰＵ（主制御部）１０２は、ドライブ部１０Ｃ全体を駆動制御する機能を備えている。
【００３９】
前述したメモリ部１０３は、ＣＰＵ（主制御部）１０２が直接読み書きできるＲＡＭやＲＯＭなどの半導体記憶装置であり、データの上書き時や二重書き時のデータキャッシュやドライブ部１０１のドライブ制御パラメータ等の格納に使用される。
又、レーザ発光部１０４は、ＬＤ（レーザーダイオード）並びに出力されるレーザー収束の為のレンズ等であり、位置決め、データの読みとり、上書き、および二重書き時に使用される。
レーザ制御部１０５は、レーザ発光部１０４を制御する制御回路であり、レーザーの出力やＯＮ／ＯＦＦの制御等を行う際に使用される。
【００４０】
フォーカス／トラッキング制御部１０６は、レーザ発光部１０４から出力されるレーザー光の焦点および位置決め用の制御回路である。このフォーカス／トラッキング制御部１０６は、レーザ発光部１０４から出力されるレーザの焦点を合わせる場合、光ピックアップ駆動機構１０７によるデータ上書き手段（光ピックアップ部）２０の移動、およびレーザ発光部１０４のレンズの傾きにより指定された領域へ位置決めする場合、等に際し稼働し機能する。
【００４１】
光ピックアップ駆動機構１０７は、光ピックアップ部としてのデータ上書き手段２０を移動させる台車機構であり、フォーカス／トラッキング制御部１０６に制御されて指定された位置へ移動する際に機能する。
又、モータ部１０８は、スピンドルモータ等のモータであり、回転制御部１０９に制御されて前記メディア格納部１１０に格納されたメディアを所定の回転数で回転駆動する機能を備えている。
【００４２】
更に、回転制御部１０９は、モータ部１０８の制御回路であり、モータ部１０８が前述したＣＰＵ（主制御部）１０２によって指定された回転数を保持できるように制御する機能を備えている。
メディア格納部１１０は、メディア格納用トレイおよびトレイ駆動部を備えている。このメディア格納部１１０は、前述したＣＰＵ（主制御部）１０２によって制御され、ドライブ部１０Ｃに取り込まれたライト・ワンスメディアを保持すると共に、当該メディアが不要（対象外）の場合若しくは作業終了の場合に、これを外部に送出する機能を備えている。図４において、符号１１０Ａはメディア格納口部分を示す。
【００４３】
動作モードＤＢ１１２は、本実施形態では三種類のデータ消去動作モード（管理領域の全面上書きモード，管理領域の全面上書き並びに一部データ領域の上書きモード，管理領域並びに全データ領域の上書きモード）および各動作モードに必要なパラメータが関連付けしてデータベース化されており、ＣＰＵ（主制御部）１０２からの指令に基づいてその何れでも自在に出力可能に記憶されている。
【００４４】
〔ドライブ部１０Ｃの全体的な機能〕
上述したドライブ部１０Ｃは、メディア格納部１１０に上書き消去用のメディアが投入されると、先ずこの投入のタイミングで前述したＣＰＵ（主制御部）１０２を作動させてデータ上書き手段２０を起動させ、当該メディアの種別情報を取り込んで当該メディアの種別を判別する。この場合の判別は、ＣＰＵ（主制御部）１０２で実行される。そして、当該メディアが、未書き込みメディア又はリライタブルメディア，或いはドライブの異常を発見されて対象外のメディアと判断された場合、ＣＰＵ（主制御部）１０２は、当該メディアを排出し、状態表示部１１６へ結果を送信する。
【００４５】
この場合、メディアの排出は、本実施形態では、後述する入力部１００のメディア排出スイッチ１１１からの入力によって実行されるが、ＣＰＵ（主制御部）１０２によって対象外のメディアと判断された場合に当該ＣＰＵ（主制御部）１０２の判断によってメディアの排出を自動的に実行するように構成してもよい。
【００４６】
一方、上記ドライブ部１０Ｃは、メディアがライト・ワンスメディアで書き込まれておりドライブ部１０Ｃも正常であった場合には、当該メディアの種別，管理領域，並びに使用領域情報を、後述する動作モード選択部１０Ｄのメモリ部１１８へ格納し、状態表示部１１６へメディアの上書き準備が完了した旨の情報を送信する機能を備えている。
ここで、ドライブ部１０Ｃは、予め前述した動作モード選択部１０Ｄで選択指定された動作モード（例えば、管理領域の上書きモード又は管理領域或いは一部データ領域の上書きモード、又は管理領域および全データ領域の上書きモード等：図６参照）でメディアの上書きを行う。
【００４７】
又、ドライブ部１０Ｃは、ライト・ワンスメディアの管理領域の上書きモードが選択された場合、動作モードＤＢ１１２内のデータ上書きパターン情報を確認し、投入されたメディアの管理領域の全面上書きを実行し、その後、当該メディアを排出し、状態表示部１１６へ結果を送信する機能を備えている。
【００４８】
更に、このドライブ部１０Ｃは、管理領域並びに一部データ領域の上書きモードが選択された場合、動作モードＤＢ１１２内に格納された実施領域／データ上書きパターンの基本パターンのほか、関連情報である二重書きパターン／上書き回数／二重書き回数情報、並びにメモリ部１１８内に格納されたメディア情報（管理領域および使用領域情報）を確認し、投入されたメディアの管理領域の全面上書きを行った後に、セッション区切り領域を全面上書きし、その後、使用領域へはランダムにデータ上書き位置を決定してデータの上書きを行い、未使用領域へはランダムにデータ二重書き位置を決定して違うデータパターンでデータの二重書きを行い、その後にメディアを排出制御する。そして、かかる一連の動作結果を、前述した状態表示部１１６へ送信する機能を備えている。
【００４９】
又、このドライブ部１０Ｃは、管理領域並びに全データ領域の上書きモードが選択された場合、動作モードＤＢ１１２内の実施領域／データ上書きパターンの基本パターンのほか、関連情報である二重書きパターン情報、並びにメモリ部１１８内の管理領域および使用領域情報を確認し、投入されたメディアの情報（管理領域および使用領域情報）を確認し、当該メディアの管理領域の全面上書きを行った後に、全使用領域へデータの上書きを行い、全未使用領域へ違うデータパターンでデータの二重書きを行い、その後にメディアを排出し、状態表示部１１６へ結果を送信する機能を備えている。
これらの各動作は、前述したＣＰＵ（主制御部）１０２によって全て制御されるようになっている。
【００５０】
次に、動作モード選択部１０Ｄおよび入力部１００の各構成部分について説明する。
【００５１】
〔動作モード選択部１０Ｄ〕
前述したように、動作モード選択部１０Ｄは、動作モード表示部１１５と、状態表示部１１６と、メモリ部１１８と、ＣＰＵ（副制御部）１１７とにより構成されている。
【００５２】
この内、動作モード表示部１１５は、７セグメントＬＥＤや液晶ディスプレイ等により構成されたの表示回路であり、前述した動作モードを表示する際に使用される。
又、状態表示部１１６は、動作モード表示部１１５と同様に７セグメントＬＥＤや液晶ディスプレイ等により構成された表示回路であり、格納されたメディアの状態（上書き対象のメディアか否か）や各動作モードの動作結果（上書き終了の有無）を表示する際に使用される。
【００５３】
メモリ部１１８は、ＣＰＵ１１７が直接読み書きできるＲＡＭやＲＯＭなどの半導体記憶装置であり、格納されたメディアの種別／管理領域／使用領域情報等を取り込む際に使用される。
ＣＰＵ（副制御部）１１７は、マイクロプロセッサ等で構成されている中央演算処理装置であり、外部からの指令等に応じて、上記動作モード表示部１１５，状態表示部１１６，メモリ部１１８を、それぞれ駆動制御する機能を備えている。
【００５４】
〔入力部１００〕
入力部１００は、前述したように、ＣＰＵ（主制御部）１０２およびＣＰＵ（副制御部）１１７に対して、外部から各種動作指令を或いは必要な情報を入力するためのものである。この入力部１００には、本実施形態では、メディア排出スイッチ（メディア排出ＳＷ）１１１，スタートスイッチ（スタートＳＷ）１１３，および動作モード選択スイッチ（動作モード選択ＳＷ）１１４が装備されている（図１，図４参照）。
【００５５】
この内、メディア排出ＳＷ１１１は、マイクロスイッチ等のスイッチから成り、装置全体の上書き動作に入る前に、前述したメディアを排出する必要がある場合に押下されると、前述したＣＰＵ（主制御部）１０２が直ちに作動し、当該メディアはメディア格納部１０１から排出される。
【００５６】
スタートＳＷ１１３は、マイクロスイッチ等のスイッチであり、メディアの上書き／２重書き等の動作モードを実行する際に使用される。
動作モード選択ＳＷ１１４は、マイクロスイッチ等のスイッチであり、前述した動作モードＤＢ１１２に格納されている複数の動作モードから必要とする動作モードを前述した動作モード表示部１１５を参照しつつ選択する際に使用される。
【００５７】
〔上記実施形態の全体的な動作およびその効果〕
次に、本実施形態の全体的な動作を、図１乃至図６に基づいて説明する。
【００５８】
まず、図２のフローチャートを用いて説明すると、ライト・ワンスメディア消去装置１０は、操作者により動作モード選択ＳＷ１１４が押下されると、直ちにＣＰＵ（主制御部）１０２を作動させて、動作モード表示部１１５の動作モードを変更し、必要な動作モードを選択設定する（ステップＡ１：消去動作モード選択工程）。
【００５９】
ここで、この消去動作モード選択工程の実行に先立って、前述したライト・ワンスメディアに対する前記上書きデータの書き込み予定領域をそれぞれ一部異なった領域とする複数の消去動作モードが、予め定められ、前述した動作モードＤＢ１１２に格納されるようになっている（消去動作モード複数設定工程）。
【００６０】
次に、操作者によりメディアが投入されると（ステップＡ２）、当該メディアの種類および消去対象メディアか否かが判別される（ステップＡ３：消去対象物判定工程）。
この場合、未書き込みメディア（管理領域が未書き込みのメディア）又はリライタブルメディア（ＣＤ−ＲＷ，ＤＶＤ±ＲＷ，ＤＶＤ−ＲＡＭ，ＢＤ−ＲＥ等の書き換え可能媒体）であった場合（ステップＡ４：イエス）、又はドライブの異常を検知した場合（ステップＡ５：ノー）は、当該メディアを排出し（ステップＡ６：非対象物除外工程）、状態表示部１１６へその結果（一例として未書き込みメディアの場合：Ｎew Ｄisc 、リライタブルメディアの場合：Ｄisc Ｔype Ｅrror、ドライブ異常の場合：ＳenseKey ／ＳenseＣode 等）を表示する（ステップＡ７）。
【００６１】
投入されメディアが消去対象メディアであり且つドライブが正常であった場合（ステップＡ４Ｎｏ、ステップＡ５  Ｙｅｓ）は、メディアの種別／管理領域／使用領域情報を判読してその情報をメモリ１１８へ一時格納（ステップＡ８）し、状態表示部１１６へメディアの上書き／二重書き準備の完了を表示（一例としてＤisc Ｒeady等）する（ステップＡ９）。即ち、後述するライト・ワンスメディアに対する上書き動作に先立って、当該ライト・ワンスメディアが前述したメディア格納部１１０に格納された場合に当該メディアの種別／管理領域／使用領域情報等の情報が、前記データ上書き手段２０によって収集されＣＰＵ１０２，１１７によってメモリ部材１１８に記憶されるようになっている（メディア情報格納工程）。
これら各構成部分の動作の制御については、ＣＰＵ（主制御部）１０２およびＣＰＵ（副制御部）１１７が連携して分担制御するように構成されている。
【００６２】
続いて、状態表示部１１６へメディアの上書き／二重書き準備完了の表示がなされた後、操作者が、スタートＳＷ１１３を押下（ステップＡ１０  Ｙｅｓ）すると、ステップＡ１で選択された動作モードの判別（ステップＡ１１）がＣＰＵ１１７で実行され、続いて、当該ＣＰＵ１１７の選択モード送信機能が作動し、前述したドライブ部１０Ｃに向けて該当する動作モードの実行命令並びにその動作モードで必要となるメモリ部１１８の内容（管理領域の上書きモードの場合：メディアの種別，管理領域並びに一部データ領域の上書きモードの場合：メディアの種別／管理領域／使用領域情報，管理領域並びに全データ領域の上書きモードの場合：メディアの種別／使用領域情報）の各情報の送信が、行われる（ステップＡ１２）。
【００６３】
ここで、操作者が、動作モードとして管理領域の上書きモードを選定した場合（ステップＡ１３）、前述したＣＰＵ（主制御部）１０２は、直ちに作動し、動作モードＤＢ１１２に予め記憶されている管理領域の上書きモード時の上書きパターン情報を読み出して（ステップＡ１４）、データ上書き手段２０を動作制御し、これにより投入されたメディアの管理領域の全面上書き動作を実行する（ステップＡ１５：上書動作実行工程）。
その後、ＣＰＵ（主制御部）１０２は、メディア排出ＳＷ１１１からの動作指令を受けて作動しメディアを排出制御し（ステップＡ１６）、状態表示部１１６へその動作結果を表示（例えばＮormal Ｅnd  等）する（ステップＡ１７）。
【００６４】
又、操作者が、動作モードとして管理領域並びに一部データ領域の上書きモードを選定した場合（ステップＡ１８）、前述したＣＰＵ（主制御部）１０２は直ちに作動し、動作モードＤＢ１１２に記憶されている管理領域及び使用領域への上書きパターン情報、並びに未使用領域への２重書き時の２回分のデータパターン情報、並びに使用領域及び未使用領域への各領域毎の書き込み回数（ドライブの書き込み速度によるが、一例として、使用領域又は未使用領域を全体の容量と比較することにより使用率又は未使用率を算出し、使用率×５０００カ所又は未使用率×２５００カ所で算出を行う）を読み出す（ステップＡ１９）。
【００６５】
その後、ＣＰＵ（主制御部）１０２は、データ上書き手段２０を動作制御し使用領域情報に基づいて使用領域へ指定回数分ランダムにデータの上書きを行い（ステップＡ２２）、未使用領域へ指定回数分ランダムにデータの二重書きを行った後に（ステップＡ２３）、メディア排出ＳＷ１１１からの動作指令を受けて作動しメディアを排出（ステップＡ２４）し、状態表示部１１６へＣＰＵ１１７を介してその動作結果を、例えば「Ｎormal Ｅnd」等の如く表示する（ステップＡ２５）。
【００６６】
更に、操作者が、動作モードとして管理領域並びに全データ領域の上書きモードを選定した場合（ステップＡ２６）、前述したＣＰＵ（主制御部）１０２は、直ちに作動し、動作モードＤＢ１１２に予め記憶されている管理領域及び使用領域への上書きパターン情報、並びに未使用領域への二重書き時の２回分のデータパターン情報を読み出して（ステップＡ２７）、投入されたメディアの管理領域の全面上書きを行った（ステップＡ２８：上書動作実行工程）後に、使用領域情報に基づいて使用領域へデータの全面上書きを行い（ステップＡ２９）、未使用領域へデータの全面二重書きを行う（ステップＡ３０）。
その後、ＣＰＵ（主制御部）１０２は、メディア排出ＳＷ１１１からの動作指令を受けて作動しメディアを排出（ステップＡ３１）し、状態表示部１１６へ動作結果を表示（例ばＮormal Ｅnd等）する（ステップＡ３２）。
【００６７】
ここで、上述した実施形態の動作中にあって、上述した各工程で実行される内容の手順をプログラム化しコンピュータで実行（実現）させるように構成してもよい。
【００６８】
以上のように、本実施形態によると、従来のライト・ワンスメディアのデータ消去では、カッター等で記録層を傷つけたり又はシュレッダー等によりメディアを裁断していたことから記録層で使われている金属片や記録層の色素（含む有害物質）が飛散し、環境や人体に影響を与える可能性があるという問題を、又、傷つけや裁断をおこなった記録層をつなぎ合わせることによりデータ部を読みとることが出来るというセキュリティ上の問題を、ほぼ１００％改善することを可能とすることができる。
【００６９】
即ち、本実施形態では、必要とするセキュリティレベルに合わせて三種類のデータ消去動作モード（管理領域の全面上書きモード，管理領域の全面上書き並びに一部データ領域の上書きモード，管理領域並びに全データ領域の上書きモード）を準備して使い分けるようにしたので、メディアの認識不可状態やデータを読みとり不可状態を、メディアの内容に合わせて、有効に且つ確実に設定することができ、これがため、物理破壊することなくデータを消去することができる。
図５に、上記実施形態により実行された上書きモードの結果の一例を示す。この図５において、図５（Ａ）はライト・ワンスメディアにおける上書き前（データ消去前）におけるトラックの一部を示し、図５（Ｂ）はライト・ワンスメディアにおける上書き後（データ消去後）におけるトラックの一部を示す。
【００７０】
この場合、三種類のデータ消去動作モードは、具体的には、管理領域の全面上書きモード，管理領域／セッション区切り領域の全面上書き並びに使用領域へのランダムに上書き並びに未使用領域へのランダムに二種類のデータパターンで二重書きモード、管理領域／セッション区切り領域／使用領域へデータを全面上書き並びに未使用領域の未使用領域を二種類のデータパターンで二重書きするモードが、用いられる。これにより、メディアの認識不可状態やデータを読み取り不可状態を発生させることができ、これにより、物理破壊することなくメディア上からデータを有効に消去（読み取り不可状態に）することが出来る。
【００７１】
尚、上記実施形態では、データ消去動作モードとして三種類のモードを例示して説明したが、本発明ではこのデータ消去動作モードを三種類に限定するものではなく、４種類以上のものであってもよい。又、システム全体的の制御手段をしてＣＰＵ１０２，１１７の二つの制御部を用いた場合について例示したが、一つであっても或いは三つ以上に分けたものであってもよい。
【図面の簡単な説明】
【００７２】
【図１】本発明の一実施形態を示すブロックである。
【図２】図１に開示した実施形態の動作を示すフローチャートである。
【図３】図１に開示した実施形態における複数の各動作モードにおける各種動作の手順を示す図で、図３（Ａ）は管理領域の上書きモードの場合を、図３（Ｂ）は管理領域並びに一部データ領域の上書きモードの場合を、図３（Ｃ）は管理領域並びに全データ領域の上書きモードの場合をそれぞれ示すフローチャートである。
【図４】図１に開示した実施形態のデータ消去装置本体部分を収納した筐体部分及びスイッチ装備箇所の例を示す外観説明図である。
【図５】図１に開示した実施形態で実行された上書きモードの結果の一例を示す対比説明図で、図５（Ａ）は上書き前におけるトラックの一部を示す説明図、図５（Ｂ）は上書き後におけるトラックの一部を示す説明図である。
【図６】図１に開示した実施形態により実行される各動作モードと消去領域との関係を示す説明図である。
【図７】図１に開示した実施形態により実行される各動作モードの具体的な内容を示す説明図である。
【符号の説明】
【００７３】
１０  光ディスク用データ消去装置
１０Ｃ  ドライブ部
１０Ｄ  動作モード選択部
２０  データ上書き手段
１００  入力部
１０２  ＣＰＵ（主制御部）
１０７  光ピックアップ駆動機構
１１０  メディア格納部
１１１  メディア排出スイッチ（メディア排出ＳＷ）
１１２  動作モード用データベース（動作モード用ＤＢ）
１１３  スタートスイッチ
１１４  動作モード選択スイッチ（動作モード選択ＳＷ）
１１５  動作モード表示部
１１６  状態表示部
１１７  ＣＰＵ（副制御部）
１１８  メモリ部（メディア情報格納手段）
【図１】
0004516936.tif 000002
【図２】
0004516936.tif 000003
【図３】
0004516936.tif 000004
【図４】
0004516936.tif 000005
【図５】
0004516936.tif 000006
【図６】
0004516936.tif 000007
【図７】
0004516936.tif 000008